(57)【特許請求の範囲】
【請求項１】
水栓本体の外部と水栓本体に設けた流路切替弁設置室とを連通するよう栓棒挿入孔を設け、先端側が流路切替弁設置室に位置し、かつ、後端が水栓本体の外部に位置する状態で、栓棒を栓棒挿入孔に螺着挿入し、栓棒の前記後端に流路切替用のハンドルを設け、栓棒の先端にリング体を設け、栓棒と同軸的に第１および第２のシート部をそれぞれ、流路切替弁設置室における栓棒の先端側および後端側に設け、第１のシート部の下流側に第１および第２のシート部間に導入された水の第１の流出口を設け、第２のシート部の下流側に第１および第２のシート部間に導入された水の第２の流出口を設ける一方、第１の水抜き弁と第２の水抜き弁とを、栓棒の軸心線方向に移動可能なように栓棒に外嵌させるとともに、前記栓棒は、当該栓棒の軸心線方向に移動可能なように栓棒に外嵌する一対の弁受を当該栓棒の先端に有し、また、第１の水抜き弁と第２の水抜き弁との間に両者を離反方向に付勢するスプリングを設け、第１のシート部に対し着座する第１の切替弁を第１の水抜き弁および第１のシート部間に前記軸心線方向に移動可能なように設け、第２のシート部に対し着座する第２の切替弁を第２の水抜き弁および第２のシート部間に前記軸心線方向に移動可能なように設け、更に、第１の水抜き弁の後端部と第２の水抜き弁の後端部は第１の水抜き弁が第２の水抜き弁に対し摺動自在に内嵌する形状を有した状態で、第１の水抜き弁および第２の水抜き弁間に圧力室を設け、圧力室の内部と圧力室の外部を連通する小孔を第２の水抜き弁に設けるとともに、圧力室の内部から圧力室の外部への水の流出のみを許容するＹパッキンを前記両後端部間に介装してある水栓の流路切替装置であって、
止水状態から水を前記第１の流出口から吐水させる初期の吐水状態では、前記第１の切替弁が前記第１のシート部に対し着座しつつ、前記第１の水抜き弁は、前記栓棒とともに移動する前記リング体によって前記一対の弁受のうち一方の弁受を介して押され、前記第１の水抜き弁と、これの外側に位置する前記第１の切替弁との間に隙間が形成されるよう構成されるとともに、前記圧力室内の水は前記小孔から抜け出る一方、前記隙間を通って前記第１の流出口へ水が流れ始めるよう構成され、
この初期の吐水状態から更に前記栓棒が移動する間においては、前記第１の水抜き弁の後端部および第２の水抜き弁の後端部を介して前記第１の水抜き弁が前記第２の水抜き弁に対し摺動するとともに、前記第１の切替弁が、前記栓棒とともに移動する前記リング体によって前記一方の弁受を介して押され前記第１のシート部から離間して水が流れるよう構成され、
この吐水状態から止水状態にするために前記ハンドルの操作を行った際、前記第１の切替弁は水の流れによって前記第１のシート部側に押されて着座する一方、前記隙間は高い圧力の状態にあり、前記第１の水抜き弁は前記一方の弁受および前記第１の切替弁に当接せず、前記圧力室から外部への水は、前記Ｙパッキンおよび前記第１の水抜き弁の間と、前記Ｙパッキンおよび前記第２の水抜き弁の間から流出しながら、前記小孔から導入される水によって前記圧力室の体積を増やすことで前記第１の水抜き弁を閉じる方向に移動させて閉弁するよう構成されていることを特徴とする水栓の流路切替装置。
【発明の詳細な説明】
【０００１】
【発明の属する技術分野】
この発明は水栓の流路切替装置に関するものである。
【０００２】
【従来の技術および発明が解決しようとする課題】
従来例えば湯水混合栓において、シャワー吐水・蛇口吐水・止水の３つの状態に流路を切替えるハンドル操作で栓棒とともに移動し、シート部に対し離間・着座するシャワー用切替弁（および蛇口用切替弁）以外にそれぞれ水抜き弁を加え、これによってシャワー吐水の状態（または蛇口吐水の状態）から止水状態にするためにハンドル操作を急激に行った場合に発生するウォータハンマ現象を緩和する構成の流路切替装置があるけれども、流路切替部がシャワー用切替弁および水抜き弁と、蛇口用切替弁および水抜き弁とを備えているだけの構成では、ウォータハンマ現象の軽減機能は効果的に働かなかった。
【０００３】
この発明は、流路切替部の閉弁動作を急激に行っても、弁体の閉弁動作を確実にゆっくりしたものにできる水栓の流路切替装置を提供することを目的とする。
【０００４】
【課題を解決するための手段】
上記目的を達成するために、この発明は、水栓本体の外部と水栓本体に設けた流路切替弁設置室とを連通するよう栓棒挿入孔を設け、先端側が流路切替弁設置室に位置し、かつ、後端が水栓本体の外部に位置する状態で、栓棒を栓棒挿入孔に螺着挿入し、栓棒の前記後端に流路切替用のハンドルを設け、栓棒の先端にリング体を設け、栓棒と同軸的に第１および第２のシート部をそれぞれ、流路切替弁設置室における栓棒の先端側および後端側に設け、第１のシート部の下流側に第１および第２のシート部間に導入された水の第１の流出口を設け、第２のシート部の下流側に第１および第２のシート部間に導入された水の第２の流出口を設ける一方、第１の水抜き弁と第２の水抜き弁とを、栓棒の軸心線方向に移動可能なように栓棒に外嵌させるとともに、前記栓棒は、当該栓棒の軸心線方向に移動可能なように栓棒に外嵌する一対の弁受を当該栓棒の先端に有し、また、第１の水抜き弁と第２の水抜き弁との間に両者を離反方向に付勢するスプリングを設け、第１のシート部に対し着座する第１の切替弁を第１の水抜き弁および第１のシート部間に前記軸心線方向に移動可能なように設け、第２のシート部に対し着座する第２の切替弁を第２の水抜き弁および第２のシート部間に前記軸心線方向に移動可能なように設け、更に、第１の水抜き弁の後端部と第２の水抜き弁の後端部は第１の水抜き弁が第２の水抜き弁に対し摺動自在に内嵌する形状を有した状態で、第１の水抜き弁および第２の水抜き弁間に圧力室を設け、圧力室の内部と圧力室の外部を連通する小孔を第２の水抜き弁に設けるとともに、圧力室の内部から圧力室の外部への水の流出のみを許容するＹパッキンを前記両後端部間に介装してある水栓の流路切替装置であって、
止水状態から水を前記第１の流出口から吐水させる初期の吐水状態では、前記第１の切替弁が前記第１のシート部に対し着座しつつ、前記第１の水抜き弁は、前記栓棒とともに移動する前記リング体によって前記一対の弁受のうち一方の弁受を介して押され、前記第１の水抜き弁と、これの外側に位置する前記第１の切替弁との間に隙間が形成されるよう構成されるとともに、前記圧力室内の水は前記小孔から抜け出る一方、前記隙間を通って前記第１の流出口へ水が流れ始めるよう構成され、
この初期の吐水状態から更に前記栓棒が移動する間においては、前記第１の水抜き弁の後端部および第２の水抜き弁の後端部を介して前記第１の水抜き弁が前記第２の水抜き弁に対し摺動するとともに、前記第１の切替弁が、前記栓棒とともに移動する前記リング体によって前記一方の弁受を介して押され前記第１のシート部から離間して水が流れるよう構成され、
この吐水状態から止水状態にするために前記ハンドルの操作を行った際、前記第１の切替弁は水の流れによって前記第１のシート部側に押されて着座する一方、前記隙間は高い圧力の状態にあり、前記第１の水抜き弁は前記一方の弁受および前記第１の切替弁に当接せず、前記圧力室から外部への水は、前記Ｙパッキンおよび前記第１の水抜き弁の間と、前記Ｙパッキンおよび前記第２の水抜き弁の間から流出しながら、前記小孔から導入される水によって前記圧力室の体積を増やすことで前記第１の水抜き弁を閉じる方向に移動させて閉弁するよう構成されていることを特徴とする。
【０００５】
【発明の実施の形態】
以下にこの発明の実施の形態について説明する。なお、この発明はそれによって限定されるものではない。
【０００６】
図１〜図５は、この発明の一実施形態を示す。
図１〜図５において、１は湯水混合栓本体（以下、本体という）で、混合室（図示せず）に連通する湯水導入室２の下流に流路切替弁設置室３が設けてある。４は本体１に嵌め込まれた保持体で、中央に本体１の外部と流路切替弁設置室３とを連通する栓棒挿入孔５が設けてある。
【０００７】
そして、先端側が流路切替弁設置室３に位置し、かつ、後端が本体１の外部に位置する状態で、栓棒６が前記挿入孔５に螺着挿入されている。７はＥリングで、栓棒６の先端に設けられている。また、８，８は一対の弁受で、栓棒６の軸心線方向に移動可能なように栓棒６に外嵌している。栓棒６の後端には、シャワー吐水・蛇口吐水・止水の３つの状態に流路を切替えるためのハンドル９が設けてある。
【０００８】
１０は、本体１に形成された弁座として機能する環状の第１のシート部で、１１は、保持体４の流路切替弁設置室３側に形成された弁座として機能する環状の第２のシート部である。図から明らかなように、第１のシート部１０よりも第２のシート部１１の径の方がやや長目に設定されている。そして、第１のシート部１０の下流側に第１および第２のシート部１０，１１間に導入された湯・水のシャワー１２への吐水口（第１の流出口）１３を設けてある。また、第２のシート部１１の下流側に第１および第２のシート部１０，１１間に導入された湯・水の蛇口１４への吐水口（第２の流出口）１５を設けてある。
【０００９】
１６は、第１のシート部１０に対し着座するシャワー用切替弁（第１の切替弁）、１７は、第２のシート部１１に対し着座する蛇口用切替弁（第２の切替弁）である。また、１８は、前記シャワー用切替弁１６側の第１の水抜き弁で、１９は、蛇口用切替弁１７側の第２の水抜き弁である。これら水抜き弁１８，１９は、栓棒６の軸心線方向に移動可能なように栓棒６に外嵌してある。更に、これら水抜き弁１８，１９間には両者１８，１９を離反方向に付勢するスプリング２０が設けてある。
【００１０】
そして、シャワー用切替弁１６は、第１の水抜き弁１８および第１のシート部１０間で前記軸心線方向に移動可能なように設けられている。また、蛇口用切替弁１７は、第２の水抜き弁１９および第２のシート部１１間で前記軸心線方向に移動可能なように設けられている。
【００１１】
ところで、この発明の特徴は、両水抜き弁１８，１９間に後述する圧力室２１を設けることで、ウォータハンマ現象の軽減を確実に行える点にあり、そのため、以下のように構成している。
【００１２】
すなわち、水抜き弁１８の後端部１８ａは、大径の環状凹所Ａを含む形で形成されており、水抜き弁１９の後端部１９ａは、前記環状凹所Ａを覆うように横長の大径フランジＢを含む形で形成されており、環状凹所ＡおよびフランジＢを介して水抜き弁１８が水抜き弁１９に対し前記軸心線方向に摺動自在に内嵌するよう構成されている。この構成によって、両水抜き弁１８，１９間に圧力室２１が形成される。
【００１３】
この圧力室２１は、内部と外部を連通する小孔２２を水抜き弁１９に有するとともに、圧力室２１の内部から圧力室２１の外部への湯・水の流出のみを許容するＹパッキン２５を環状凹所Ａ内に有している。
【００１４】
而して、止水状態〔図４（Ａ）参照〕から初期のシャワー吐水状態〔図４（Ｂ）参照〕への開弁動作が行われる場合、Ｓ方向に栓棒６が移動する。すなわち、図４（Ｂ）に示すように、シャワー用切替弁１６が第１のシート部１０に対し未だ着座した状態にある一方、水抜き弁１８は、栓棒６とともにＳ方向に移動するＥリング７によって弁受８を介してＳ方向に極く僅か押され、水抜き弁１８と、これの外側に位置するシャワー用切替弁１６との間に隙間Ｍが形成される一方、圧力室２１内の湯・水は小孔２２から抜け出る状態が起こる。そして、前記隙間Ｍを通ってシャワー１２の吐水口１３へ湯・水が流れ始める。
【００１５】
更に、図５（Ａ）に示すように、Ｓ方向に栓棒６が移動する間においては、環状凹所ＡおよびフランジＢを介して水抜き弁１８が水抜き弁１９に対しＳ方向に摺動するとともに、シャワー用切替弁１６が第１のシート部１０から離間してシャワー１２から勢い良く湯・水が流れる。
【００１６】
シャワー使用後に止水状態にするためにハンドル９の操作を急激に行った場合、図５（Ｂ）に示すように、シャワー用切替弁１６は湯・水の流れによって第１のシート部１０側に押されて着座するが、前記隙間Ｍは高い圧力の状態にあるので、水抜き弁１８は直ぐには閉じる方向に移動しない。すなわち、水抜き弁１８は弁受８およびシャワー用切替弁１６に当接せず、小孔２２から徐々に導入される湯・水によって圧力室２１の体積を増やすことで水抜き弁１８を閉じる方向に移動させる。この場合、圧力室２１から外部への湯・水は、Ｙパッキン２５および水抜き弁１８の間と、Ｙパッキン２５および水抜き弁１９の間から流れ出る。このように、閉弁動作を急激に行っても、水抜き弁１８の閉弁動作を確実にゆっくりしたものにできるので、ハンドル９の操作を急激に行った場合にウォータハンマ現象が発生するのを防止できる。
【００１７】
【発明の効果】
以上説明したように、この発明によれば、第１の水抜き弁および第２の水抜き弁間に圧力室を設け、圧力室の内部と圧力室の外部を連通する小孔を第２の水抜き弁に設けるとともに、圧力室の内部から圧力室の外部への水の流出のみを許容するパッキンを前記両水抜き弁の後端部間に介装したので、閉弁動作を急激に行っても、閉弁動作を確実にゆっくりしたものにでき、ハンドルの操作を急激に行った場合に発生するウォータハンマ現象を防止できる。
【図面の簡単な説明】
【図１】  この発明の一実施形態を示す全体構成説明図である。
【図２】  上記実施形態におけるシャワー吐水状態・蛇口吐水状態を示す構成説明図である。
【図３】  上記実施形態における止水状態を示す要部構成説明図である。
【図４】  上記実施形態における止水状態およびこの止水状態から初期のシャワー吐水状態への開弁動作を示す構成説明図である。
【図５】  上記実施形態における前記シャワー吐水状態およびこのシャワー吐水状態から止水状態への閉弁動作を示す構成説明図である。
【符号の説明】
１…湯水混合栓本体、３…流路切替弁設置室、６…栓棒、９…ハンドル、１０…第１のシート部、１１…第２のシート部、１３…第１の流出口、１５…第２の流出口、１６…第１の切替弁、１７…第２の切替弁、１８…第１の水抜き弁、１９…第２の水抜き弁、２０…スプリング、２１…圧力室、２２…小孔、２５…Ｙパッキン、１８ａ，１９ａ…水抜き弁の後端部、Ａ…環状凹所、Ｂ…フランジ。
【図１】
0003923155.tif 000002
【図２】
0003923155.tif 000003
【図３】
0003923155.tif 000004
【図４】
0003923155.tif 000005
【図５】
0003923155.tif 000006